(57)【特許請求の範囲】
【請求項１】
飲料缶の上端部に対して着脱自在なキャップと、該キャップの下面開口部を塞ぐ内蓋とからなり、前記キャップと前記内蓋の間の空間部に景品を収容するようにした飲料缶用景品収容容器であって、
前記キャップには、直方体に形成すると共に対向する２つの短辺部分を円弧状に膨出した装着部と、該装着部の前記両短辺部分の先端に前記飲料缶の上端部に着脱自在に係止される係止突起と、前記下面開口部における直線部分の内側に形成された内側係止突起とが形成され、
また、前記内蓋には、前記キャップの内側係止突起に対して着脱自在に係止される平板部と、該平板部の両端に前記キャップの装着部より小さな口径の飲料缶の上端部に対して着脱自在に係止される小径装着部とが形成され、
前記キャップの内側係止突起に、前記内蓋の平板部を係合して一体化した状態において、前記飲料缶における上端部の口径が大きい場合には、前記キャップの装着部に形成された係止突起を前記飲料缶の上端部に係合することでキャップを飲料缶に装着でき、また、前記飲料缶における上端部の口径が小さい場合には、前記内蓋に形成された小径装着部を前記飲料缶の上端部に係合することで内蓋を装着できるようにしたことを特徴とする飲料缶用景品収容容器。
【請求項２】
前記内蓋に、前記キャップの側面から突出する突起を設け、この突起によって内蓋を前記キャップより取り外すことができるようにしたことを特徴する請求項１記載の飲料缶用景品収容容器
【請求項３】
前記キャップおよび前記内蓋を合成樹脂で形成し、飲料缶の上端部よりの取り外しが容易に行えると共に収容景品の保護を強化したことを特徴とする請求項１または２記載の飲料缶用景品収容容器
【発明の詳細な説明】
【技術分野】
【０００１】
この発明は、例えば、清涼飲料水、ジュース、コーヒーなどの飲料を収容した飲料缶の上端部に取付ける飲料缶用景品収容容器に関するものである。
【背景技術】
【０００２】
近年、販売促進を目的とし、飲料缶の上端部に装脱可能な飲料缶用景品収容容器を取付け、この飲料缶用景品収容容器の中に景品を入れて販売している。
【特許文献１】特開２００４−２７６９７５号公報
【発明の開示】
【発明が解決しようとする課題】
【０００３】
従来の飲料缶用景品収容容器は、飲料缶と同じ円筒状に構成され、内周の下端部に所定間隔で設けた係合爪を飲料缶の上端部に設けられた環状の係止部に係合させることによって取付ける構成にされている。したがって、飲料缶用景品収容容器の係合爪が飲料缶の上端部に設けた係止部に、全周に渡って所定間隔で係合するので、飲料缶に対して強い係合力で飲料缶用景品収容容器が取付けられることとなり、飲料缶からの飲料缶用景品収容容器の取り外しが困難であるといった問題があった。
【０００４】
また、従来の飲料缶用景品収容容器は、同じ口径の飲料缶にしか使用することができなかった。しかし、飲料缶には口径の違うものが販売されているので、これらの異なる口径毎に容器を製造しなければならないといった問題もあった。
【０００５】
本発明は前記した問題点を解決せんとするもので、その目的とするところは、飲料缶からの取り外しを簡単、かつ、容易に行うことができ、また、口径の異なる複数の飲料缶に対して利用することのできる飲料缶用景品収容容器を提供せんとするものである。
【課題を解決するための手段】
【０００６】
本発明の飲料缶用景品収容容器は前記した目的を達成せんとするもので、請求項１の手段は、飲料缶の上端部に対して着脱自在なキャップと、該キャップの下面開口部を塞ぐ内蓋とからなり、前記キャップと前記内蓋の間の空間部に景品を収容するようにした飲料缶用景品収容容器であって、前記キャップには、直方体に形成すると共に対向する２つの短辺部分を円弧状に膨出した装着部と、該装着部の前記両短辺部分の先端に前記飲料缶の上端部に着脱自在に係止される係止突起と、前記下面開口部における直線部分の内側に形成された内側係止突起とが形成され、また、前記内蓋には、前記キャップの内側係止突起に対して着脱自在に係止される平板部と、該平板部の両端に前記キャップの装着部より小さな口径の飲料缶の上端部に対して着脱自在に係止される小径装着部とが形成され、前記キャップの内側係止突起に、前記内蓋の平板部を係合して一体化した状態において、前記飲料缶における上端部の口径が大きい場合には、前記キャップの装着部に形成された係止突起を前記飲料缶の上端部に係合することでキャップを飲料缶に装着でき、また、前記飲料缶における上端部の口径が小さい場合には、前記内蓋に形成された小径装着部を前記飲料缶の上端部に係合することで内蓋を装着できるようにしたことを特徴とする。
【０００８】
請求項２の手段は、前記した請求項１において、前記内蓋に、前記キャップの側面から突出する突起を設け、この突起によって内蓋を前記キャップより取り外すことができるようにしたことを特徴する。
【０００９】
請求項３の手段は、前記した請求項１または２において、前記キャップおよび前記内蓋を合成樹脂で形成し、飲料缶の上端部よりの取り外しが容易に行えると共に収容景品の保護を強化したことを特徴とする。
【発明の効果】
【００１０】
この発明の飲料缶用景品収容容器によれば、キャップを直方体に形成すると共に対向する短辺部分を円弧状に膨出して装着部となし、かつ、該装着部の前記両短辺部分の下端部に飲料缶の上端部に着脱自在に係止される係止突起を形成したので、飲料缶に対して係合する部分が少なくなるとともに、キャップの対向する平面部分を把持できることにより、飲料缶用景品収容容器の飲料缶からの取り外しを簡単、かつ、容易に行うことができる。
【００１１】
そして、内蓋は前記キャップに形成された内蓋係止部に対して着脱自在に取付けられ、かつ、キャップの装着部より小さな口径の飲料缶の上端部に対して着脱自在に係止される小径装着部を形成したので、口径の異なる複数の飲料缶に対して利用することができる。
【００１２】
また、口径の異なる小径装着部を有する内蓋を用意しておいて交換することにより、さらに口径の異なる飲料缶に対して利用することができるとともに、キャップを共通部品として使用できるので、複数（３つ以上）の口径の異なる飲料缶用景品収容容器を安価に提供することができる。
【００１３】
さらに、内蓋に、キャップの側面から突出する突起を設けたので、この突起によって簡単、かつ、容易にキャップから内蓋を取り外し、飲料缶用景品収容容器から景品を取り出すことができる。
【００１４】
また、キャップおよび内蓋を合成樹脂で成形にしたので、景品を破損しないように収容させることができる。
【発明を実施するための最良の形態】
【００１５】
以下、この発明の実施例を図に基づいて説明する。
図１はこの発明の一実施例としての飲料缶用景品収容容器の平面図、図２は図１に示した飲料缶用景品収容容器のＡ−Ａ線による切断端面図、図３は図１および図２に示した飲料缶用景品収容容器をキャップの装着部で飲料缶に取付ける説明図、図４は図１および図２に示した飲料缶用景品収容容器をキャップの装着部で飲料缶に取付けた状態の部分断面図、図５は図１および図２に示した飲料缶用景品収容容器をキャップの装着部で飲料缶に取付けた状態の斜視図、図６は図１および図２に示した飲料缶用景品収容容器を内蓋の装着部で飲料缶に取付けた状態の部分断面図である。なお、図２〜図６における飲料缶用景品収容容器の断面は、図１のＢ−Ｂ線による断面図に相当する。
【００１６】
図１〜図３において、飲料缶用景品収容容器１は、下面が開放し、飲料缶Ｃの上端部に対して装脱可能な装着部１３が下端部にそれぞれ設けられたキャップ１１と、このキャップ１１の下面を閉塞する内蓋２１とで構成されている。
なお、キャップ１１および内蓋２１は、所定の硬さを有する合成樹脂、例えば、ポリプロピレン（ＰＰ）などで成形されている。
【００１７】
上記したキャップ１１は、直方体の対向する短辺部分をそれぞれ円弧状に膨出させた形状、すなわち、円柱をＩカットした形状のキャップ本体１２と、このキャップ本体１２の円弧状をした両短辺部分の下端部にそれぞれ設けられた装着部１３とで構成されている。
【００１８】
そして、キャップ本体１２には、下端に飲料缶の上端の巻き締め縁が挿入される切欠１２ａ（図５をも参照。）が４つ設けられるとともに、この切欠１２ａに挟まれた直線部分の内側に、所定の間隔をおいて内側係止部としての内側係止突起１２ｂがそれぞれ水平に２つ設けられている。
【００１９】
また、各装着部１３は、キャップ本体１２の両短辺部分を下側へ延長した円弧状延長部１３ａと、この円弧状延長部１３ａの内側に所定の間隔をおいて水平に設けられ、飲料缶の上端部に設けられた被装着部に対して装脱可能な２つの係止突起１３ｂとで構成されている。
【００２０】
上記した内蓋２１は、キャップ本体１２の下側へ挿入され、内蓋係止突起１２ｂに係合してキャップ本体１２の下面を閉塞する平板部２２と、この平板部１２の対向する直線状の長辺に設けられ、キャップ本体１２の切欠１２ａから側面の外へ突出する突起２３と、平板部２２の円弧状をした両短辺部分の下端部にそれぞれ設けられ、キャップ１１の装着部１３が装着される飲料缶Ｃの口径よりも小さな口径の飲料缶の上端部に対して装脱可能な小径装着部２４とで構成されている。
【００２１】
そして、各小径装着部２４は、平板部２２の円弧状をした両短辺部分の端を下側へ延長した円弧状延長部２４ａと、この円弧状延長部２４ａの内側に所定の間隔をおいて水平に設けられ、飲料缶の上端部に設けられた被装着部に対して装脱可能な２つの小径係止突起２４ｂとで構成されている。
【００２２】
図３〜図５において、この実施例では、販売促進用の景品Ｇとして、ミニチュアカーが飲料缶用景品収容容器１内に収容される。そして、飲料缶用景品収容容器１が装着される飲料缶Ｃ，ｃは、上下端に周回した巻き締め部ｅを設けることによって上下端の内側に周回した被装着部ａがそれぞれ設けられている。
【００２３】
なお、飲料缶Ｃは被装着部ａにキャップ１１の各係止突起１３ｂで飲料缶用景品収容容器１が装着される口径とされ、飲料缶ｃは被装着部ａに内蓋２１の各小径係止突起２４ｂで飲料缶用景品収容容器１が装着される口径とされている。ここで、口径は、飲料缶用景品収容容器１を装着する飲料缶の端部、すなわち、巻き締め縁ｅの口径とする。
【００２４】
次に、景品Ｇの収容、および、飲料缶用景品収容容器１の装着について説明する。
まず、図３に示した状態では上下が反転しているが、キャップ本体１２内へ景品Ｇを入れ、キャップ本体１２の上側から円弧状延長部１３の間へ内蓋２１を挿入して押し込むと、各突起２３が対応する切欠１２ａ内へ入るとともに、平板部２２が内蓋係止突起１２ｂを押すことにより、キャップ本体１２の下端部分は自身の弾性で外側へ膨らみ、平板部２２が内蓋係止突起１２ｂ部分を通過すると、キャップ本体１２の下端部分は自身の弾性で元の状態へと復帰し、キャップ本体１２の下面を閉塞した状態に保持する。
【００２５】
このように、キャップ本体１２の下面を閉塞した状態に平板部２２が保持されると、各突起２３が対応する切欠１２ａの縁に当接するので、内蓋２１はキャップ本体１２にがたつかないように保持され、閉塞したキャップ本体１２内に景品Ｇを収容させることができる。そして、小径装着部２４も、装着部１３の内側に、装着部１３の下端よりも下端が上側に位置した状態に収容される。
【００２６】
上記のようにして景品Ｇを収容させた飲料缶用景品収容容器１の装着部１３を下側にし、飲料缶Ｃの上端を装着部１３内に位置させるようにして飲料缶用景品収容容器１を飲料缶Ｃ側へ押し込むと、各係止突起１３ｂが巻き締め縁ｅで押されることにより、円弧状延長部１３ａが自身の弾性で外側へ膨らみ、係止突起１３ｂが巻き締め縁ｅを通過すると、円弧状延長部１３ａが自身の弾性で元の状態へと復帰し、係止突起１３ｂが被装着部ａに係合して巻き締め縁ｅの下側を保持するとともに、巻き締め縁ｅの上端が円弧状延長部１３ａの下端に当接し、図３〜図５に示すように、飲料缶Ｃに飲料缶用景品収容容器１を装着することができる。
【００２７】
また、景品Ｇを収容させた飲料缶用景品収容容器１の装着部１３を下側にし、飲料缶Ｃの口径よりも小さい口径の飲料缶ｃの上端を小径装着部２４内に位置させるようにして飲料缶用景品収容容器１を飲料缶ｃ側へ押し込むと、各小径係止突起２４ｂが巻き締め縁ｅで押されることにより、円弧状延長部２４ａが自身の弾性で外側へ膨らみ、小径係止突起２４ｂが巻き締め縁ｅを通過すると、円弧状延長部２４ａが自身の弾性で元の状態へと復帰し、小径係止突起２４ｂが被装着部ａに係合して巻き締め縁ｅの下側を保持するとともに、巻き締め縁ｅの上端が切欠１２ａ内へ入って平板部２２の下面に当接し、図６に示すように、飲料缶ｃに飲料缶用景品収容容器１を装着することができる。
【００２８】
次に、飲料缶用景品収容容器１の取り外し、および、景品Ｇの取り出しについて説明する。
まず、キャップ本体１２の上面に掌を当て、キャップ本体１２の対向する長辺の面を指で挟み、例えば、キャップ本体１２を飲料缶Ｃ，ｃに対して回転させるようにして持ち上げると、各係止突起１３ｂ，２４ｂが飲料缶Ｃ，ｃの巻き締め縁ｅから外れることにより、飲料缶用景品収容容器１を飲料缶Ｃ，ｃの上端部から取り外すことができる。
【００２９】
そして、図１に示すように、キャップ本体１２の側面から突出した突起２３に、例えば、爪を上側から当ててキャップ本体１２から離れる方向へ押すと、平板部２２が内蓋係止突起１２ｂから外れることにより、内蓋２１をキャップ１１から取り外すして景品Ｇを取り出すことができる。
【００３０】
上述したように、この発明の一実施例の飲料缶用景品収容容器１によれば、キャップ１１を、直方体の対向する短辺部分をそれぞれ円筒状に膨出させた形状とし、装着部１３をキャップ１１の両短辺部分の下端部にそれぞれ設けたので、飲料缶Ｃに対して係合する部分が少なくなるとともに、キャップ１１（キャップ本体１２）の対向する平面部分を把持できることにより、飲料缶用景品収容容器１の飲料缶Ｃからの取り外しを簡単、かつ、容易に行うことができる。
【００３１】
そして、キャップ１１に内蓋係止突起１２ｂを設け、この内側係止突起１２ｂに、装着部１３を装着する飲料缶Ｃの口径よりも小さな口径の飲料缶ｃの上端部に対して装脱可能な小径装着部２４ｂを有し、キャップ１１の下面を閉塞する内蓋２１を取付けたので、口径の異なる複数の飲料缶Ｃ，ｃに対して利用することができる。
【００３２】
また、口径の異なる小径装着部を有する内蓋を用意しておいて交換することにより、さらに口径の異なる飲料缶に対して利用することができるとともに、キャップ１１を共通部品として使用できるので、複数（３つ以上）の口径の異なる飲料缶用景品収容容器を安価に提供することができる。
【００３３】
さらに、内蓋２１に、キャップ１１の側面から突出する突起２３を設けたので、この突起２３によって簡単、かつ、容易にキャップ１１から内蓋２１を取り外し、飲料缶用景品収容容器１から景品Ｇを取り出すことができる。また、キャップ１１および内蓋２１を合成樹脂で成形にしたので、景品Ｇを破損しないように収容させることができる。
【００３４】
なお、前記した実施例では内蓋２１を利用して小さい口径の飲料缶にも取付け可能なものとして説明したが、キャップ１１を直方体としたことで、飲料缶に対して外し易いという効果が得られるので、このような効果だけを期待するのであれば、内蓋２１は単にキャップ１１に対して着脱なものであればよく、従って、合成樹脂に限定されるものではなく少し厚みの厚い紙であってもよい。
【図面の簡単な説明】
【００３５】
【図１】この発明の一実施例としての飲料缶用景品収容容器の平面図である。
【図２】図１に示した飲料缶用景品収容容器のＡ−Ａ線による切断端面図である。
【図３】図１および図２に示した飲料缶用景品収容容器をキャップの装着部で飲料缶に取付ける説明図である。
【図４】図１および図２に示した飲料缶用景品収容容器をキャップの装着部で飲料缶に取付けた状態の部分断面図である。
【図５】図１および図２に示した飲料缶用景品収容容器をキャップの装着部で飲料缶に取付けた状態の斜視図である。
【図６】図１および図２に示した飲料缶用景品収容容器を内蓋の装着部で飲料缶に取付けた状態の部分断面図である。
【符号の説明】
【００３６】
１      飲料缶用景品収容容器
１１    キャップ
１２    キャップ本体
１２ａ  切欠
１２ｂ  内蓋係止突起（内蓋係止部）
１３    装着部
１３ａ  円弧状延長部
１３ｂ  係止突起
２１    内蓋
２２    平板部
２３    突起
２４    小径装着部
２４ａ  円弧状延長部
２４ｂ  小径係止突起
Ｇ      景品
Ｃ，ｃ  飲料缶
ｅ      巻き締め縁
ａ      被装着部
【図１】
0004504898.tif 000002
【図２】
0004504898.tif 000003
【図３】
0004504898.tif 000004
【図４】
0004504898.tif 000005
【図５】
0004504898.tif 000006
【図６】
0004504898.tif 000007